(57)【要約】【課題】覆工コンクリート天端部のエア抜きとともに充填確認が行える安価な装置を提供する。【解決手段】トンネル天端部に沿って配置され、地山Ｇの凹部に対応する部分にエア抜き孔２ａを有するエア抜きホース２と、そのエア抜きホース２に沿って設けられ、セントルＧから導出されるリード線３・４と、そのリード線３・４の地山Ｇの凹部に対応する先端部に設けられ、覆工コンクリートの充填を感知する充填感知部３ａ・４ａと、を備える。さらに、リード線３・４のセントルＳから導出された他端側に接続され、充填感知部３ａ・４ａによる充填感知を報知する報知部５ａ・６ａを備える。【選択図】図１
2011202380.tif 000002
【特許請求の範囲】
【請求項１】
トンネル天端部に沿って配置され、地山凹部に対応する部分にエア抜き孔を有するエア抜きホースと、
前記エア抜きホースに沿って設けられ、セントルから導出されるリード線と、
前記リード線の前記地山凹部に対応する先端部に設けられ、覆工コンクリートの充填を感知する充填感知部と、を備えることを特徴とする覆工コンクリート充填確認装置。
【請求項２】
前記リード線の前記セントルから導出された他端側に接続され、前記充填感知部による充填感知を報知する報知部を備えることを特徴とする請求項１に記載の覆工コンクリート充填確認装置。
【発明の詳細な説明】
【技術分野】
【０００１】
本発明は、覆工コンクリートの充填確認装置に関する。
【背景技術】
【０００２】
トンネル覆工時において、覆工コンクリート天端部の充填状況の確認は、検測ピンの位置で行うのが一般的で、吹付け面の凹んだ箇所（余掘りの多い箇所等）が発生する可能性のある任意の位置での充填確認は難しかった。
また、天端部充填で重要なエア抜きは、検測ピン併用のエア抜き金具で行うのが一般的で、天端部の凹凸（いわゆるエア溜まり）が発生する可能性のある任意の位置でのエア抜きは難しかった。
【０００３】
そして、覆工コンクリート天端部の充填状況を確認するシステムとして、特許文献１に提案される充填確認装置がある。その充填確認装置は、トンネル覆工背面の空洞内に位置したとき、一定の測定長を有し、一端に取り付け棒を着脱自在に取り付ける取り付け部を有する感知部と、感知部から引き出されたリード線と、感知部の取り付け部に一端が取り付けられて感知部の上端が上記空洞の天井に接触したとき、他端が覆工コンクリート外面に突出する長さを有する取り付け棒と、取り付け棒を挿入したとき、取り付け棒が移動自在の内径を有する感知部挿入パイプと、取り付け棒が感知部挿入パイプに挿入されたとき、取り付け棒と感知部挿入パイプとを固定する固定治具と、感知部の感知を計測する記録装置とからなる。
【先行技術文献】
【特許文献】
【０００４】
【特許文献１】特開平１１−２８７０９２号公報
【発明の概要】
【発明が解決しようとする課題】
【０００５】
しかし、特許文献１のような充填確認装置は、感知部及びリード線の他に、取り付け棒、感知部挿入パイプ、固定部等を必要とし、構成が複雑で高価なものとなっていた。
【０００６】
本発明の課題は、覆工コンクリート天端部のエア抜きとともに充填確認が行える安価な装置を提供することである。
【課題を解決するための手段】
【０００７】
以上の課題を解決するため、請求項１に記載の発明は、トンネル天端部に沿って配置され、地山凹部に対応する部分にエア抜き孔を有するエア抜きホースと、前記エア抜きホースに沿って設けられ、セントルから導出されるリード線と、前記リード線の前記地山凹部に対応する先端部に設けられ、覆工コンクリートの充填を感知する充填感知部と、を備える覆工コンクリート充填確認装置を特徴とする。
【０００８】
請求項２に記載の発明は、請求項１に記載の覆工コンクリート充填確認装置であって、前記リード線の前記セントルから導出された他端側に接続され、前記充填感知部による充填感知を報知する報知部を備えることを特徴とする。
【発明の効果】
【０００９】
本発明によれば、覆工コンクリート天端部のエア抜きとともに充填確認が行えて、安価に充填確認装置を提供することができる。
【図面の簡単な説明】
【００１０】
【図１】本発明を適用した覆工コンクリート充填確認装置の一実施形態を示す概略構成図である。
【図２】図１の矢印Ａ−Ａ線に沿った断面拡大図である。
【発明を実施するための形態】
【００１１】
以下、図を参照して本発明を実施するための形態を詳細に説明する。
図１は本発明を適用した覆工コンクリート充填確認装置の一実施形態を示すもので、図２はその矢印Ａ−Ａ線に沿った断面を拡大して示しており、図中、１は防水シート、２はエア抜きホース、２ａはエア抜き孔、３はリード線、３ａは充填感知部、４はリード線、４ａは充填感知部、５はリレースイッチ、５ａは報知部、６はリレースイッチ、６ａは報知部、Ｇは地山、Ｓはセントル、Ｔは妻板である。
【００１２】
トンネルのセントルＳのセットに先立って、図示のように、地山Ｇの表面に敷設された防水シート１の天端部に沿ってエア抜きホース２を設置する。このエア抜きホース２は、地山Ｇの凹部に対応する部分にエア抜き孔２ａを形成する。ここで、地山Ｇの凹部の大きさや形状に対応して、エア抜きホース２のホース径、エア抜き孔２ａの径・数量を適切に設定することが、エア溜まり防止に効果的である。
【００１３】
そして、エア抜きホース２に沿って地山Ｇの凹部に対応する数のリード線、図示例では二本のリード線３・４を設置する。一方のリード線３は、地山Ｇの一の凹部に位置する先端部が被覆を剥いだ充填感知部３ａとなっている。他方のリード線４は、地山Ｇの他の凹部に位置する先端部が被覆を剥いだ充填感知部４ａとなっている。
【００１４】
以上のエア抜きホース２及びリード線３・４は、図示のように、セットされたセントルＳの妻板Ｔから外部に導出されている。そのセントルＳから導出されたリード線３・４の他端側にリレースイッチ５・６が接続されている。一方のリード線３に接続されたリレースイッチ５の上には、報知部をなす回転灯５ａが備えられている。他方のリード線４に接続されたリレースイッチ６の上にも、報知部をなす回転灯６ａが備えられている。
【００１５】
次に、覆工コンクリートが打設され、天端部まで充填されて行くと、地山Ｇの凹部内のエアがエア抜き孔２ａからエア抜きホース２内を通って排出される。そして、充填感知部３ａ・４ａにコンクリートがそれぞれ接触すると、リレースイッチ５・６がそれぞれ作動して回転灯５ａ・６ａがそれぞれ点灯回転する。
【００１６】
こうして、覆工コンクリートの天端部までの充填が確認される。
打設終了後、エア抜きホース２からセメントミルクを注入する。
【００１７】
以上、実施形態の覆工コンクリート充填確認装置によれば、天端部にエア抜きホース２を設置し、そのエア抜きホース２を利用して、地山Ｇの凹部に対応する位置に充填感知部３ａ・４ａを設けたため、天端部のエア抜きとともに充填確認が行えて、安価に提供することができる。
【００１８】
なお、以上の実施形態においては、二箇所の充填感知としたが、本発明はこれに限定されるものではなく、必要に応じ三箇所以上の充填感知であっても良い。
また、報知部も回転灯に限らず任意であり、その他、具体的な細部構造等についても適宜に変更可能であることは勿論である。
【符号の説明】
【００１９】
１  防水シート
２  エア抜きホース
２ａ  エア抜き孔
３  リード線
３ａ  充填感知部
４  リード線
４ａ  充填感知部
５  リレースイッチ
５ａ  報知部
６  リレースイッチ
６ａ  報知部
Ｇ  地山
Ｓ  セントル
Ｔ  妻板
【図１】
2011202380.tif 000003
【図２】
2011202380.tif 000004